(57)【要約】      （修正有）【課題】装着されたシュリンクラベルの視認性を向上させつつ、十分な強度を有する容器を提供する。【解決手段】胴部１２にリブ１４が設けられている容器１〜３において、リブ１４は、胴部１２の周方向に対して傾斜した方向に延び、その傾斜した方向を変化させており、リブが単に傾斜している場合に比べて強度が高まる。それとともに、胴部にシュリンクラベル１０を装着する場合には、シュリンクラベルの収縮する方向とリブが延びる方向がずれて視認性を高めることができる。【選択図】図１Ａ
2015105118.tif 000002
【特許請求の範囲】
【請求項１】
胴部にリブが設けられている容器において、
前記リブは、前記胴部の周方向に対して傾斜した方向に延び、その傾斜した方向を変化させている容器。
【請求項２】
前記リブの変化した方向が、上下方向に反転している請求項１に記載の容器。
【請求項３】
前記胴部には、複数のリブが設けられ、
前記複数のリブのそれぞれが前記リブであり、かつ互いに平行に設けられている請求項１又は２に記載の容器。
【請求項４】
前記胴部には、シュリンクラベルが装着可能である請求項１〜３のいずれか一項に記載の容器。
【発明の詳細な説明】
【技術分野】
【０００１】
本発明は、
胴部にシュリンクラベルを装着可能な容器に関する。
【背景技術】
【０００２】
ペットボトル等の合成樹脂製の容器は、胴部にリブを設けることにより強度を高めている。このような容器の胴部には、巻きラベルやシュリンクラベル等のラベルが装着される（例えば特許文献１参照）。
【先行技術文献】
【特許文献】
【０００３】
【特許文献１】特開２０１３−１０５５２号公報
【発明の概要】
【発明が解決しようとする課題】
【０００４】
リブが設けられた胴部にシュリンクラベルを装着させると、シュリンクラベルはリブの形状に沿って収縮する。シュリンクラベルは周方向に収縮するため、リブが周方向に沿って設けられているとリブに沿った形状変化が大きく、視認性が悪くなるおそれがある。一方で、リブを適切に配置させることにより使用に適した強度が求められている。
【０００５】
そこで、本発明は装着されたシュリンクラベルの視認性を向上させつつ、十分な強度を有する容器を提供することを目的とする。
【課題を解決するための手段】
【０００６】
本発明の容器は、胴部（１２）にリブ（１４）が設けられている容器（１〜３）において、前記リブは、前記胴部の周方向に対して傾斜した方向に延び、その傾斜した方向を変化させているものである。
【０００７】
本発明の容器によれば、胴部に設けられたリブが周方向に対して傾斜し、その傾斜した方向が変化しているので、リブが単に傾斜している場合に比べて強度が高まる。それとともに、胴部にシュリンクラベルを装着する場合には、シュリンクラベルの収縮する方向とリブが延びる方向がずれて視認性を高めることができる。
【０００８】
本発明の容器の一形態において、前記リブの変化した方向は、上下方向に反転していてもよい。一般的には、リブの延びる向きが周方向に近付く程、容器の強度が高まる。リブの延びる向きを変化させることでリブの傾斜角度が小さくなり、容器の強度を高めるとともに、シュリンクフィルムを装着した場合の視認性を向上させることもできる。
【０００９】
また、本発明の容器の一形態において、前記胴部には、複数のリブが設けられ、前記複数のリブのそれぞれが前記リブであり、かつ互いに平行に設けられていてもよい。また、本発明の容器の一形態において、前記胴部には、シュリンクラベルが装着可能であってもよい。また、本発明の容器の一形態において、前記リブが、前記胴部の外周面に対して凹んでいてもよい。
【００１０】
なお、以上の説明では本発明の理解を容易にするために添付図面の参照符号を括弧書きにて付記したが、それにより本発明が図示の形態に限定されるものではない。
【発明の効果】
【００１１】
以上、説明したように、本発明の容器においては、胴部に設けられたリブが周方向に対して傾斜し、その傾斜した方向が変化しているので、リブが単に傾斜している場合に比べて強度が高まる。それとともに、胴部にシュリンクラベルを装着する場合には、シュリンクラベルの収縮する方向とリブが延びる方向がずれて視認性を高めることができる。
【図面の簡単な説明】
【００１２】
【図１Ａ】本発明の一形態に係る容器の正面図。
【図１Ｂ】図１Ａの左側面図。
【図１Ｃ】図１Ａの右側面図。
【図１Ｄ】図１Ａの背面図。
【図２】容器に装着されたシュリンクラベルのリブへの入り込みの深さの測定結果を示す表。
【図３】リブの形状が異なる容器の正面図。
【図４】リブの形状が異なる容器の他の例の正面図。
【図５】リブの形状が異なる容器の他の例の正面図。
【図６】容器のリブへのシュリンクラベルの入り込みを説明する図。
【図７】容器に装着したシュリンクラベルの視認性に関する官能評価結果を示す表。
【図８】容器に装着したシュリンクラベルの視認性に関する官能評価結果を示す表。
【発明を実施するための形態】
【００１３】
図１Ａは本発明の一形態に係る容器の正面図、図１Ｂはその左側面図、図１Ｃはその右側面図、図１Ｄはその背面図をそれぞれ示している。容器１は、着脱可能な蓋（不図示）を取り付ける口部１１と、シュリンクラベル１０を装着する胴部１２と、底部１３とを備えている。容器１は、一例として、基準容量が５００［ｍｌ］のペットボトルである。口部１１には、ねじ溝１１ａが設けられ、図示しない蓋が取付可能である。胴部１２には、シュリンクラベル１０が装着される。シュリンクラベル１０には、容器１に充填される内容物の情報等の文字情報や、画像情報が表示される。シュリンクラベル１０は、熱が加えられると収縮し、胴部１２に固定される周知のフィルムであり、周知技術を利用してよい。なお、シュリンクラベル１０は、図１Ａにその一部を省略して示している。
【００１４】
胴部１２において、シュリンクラベル１０が装着される領域をフィルム装着領域１２ａと規定して区別する。フィルム装着領域１２ａは、胴部１２の全域であってもよいし、一部であってもよい。胴部１２のフィルム装着領域１２ａには、複数のリブ１４が設けられている。各リブ１４はそれぞれ、胴部１２の外周面に対して凹んだ形状を有している。また、各リブ１４は、容器１の周方向に対して４５°に傾斜した方向に平行に延び、図１Ｂ及び図１Ｃに示すようにその傾斜した方向を変化させている。図１Ｂでは、上方向に延びるリブ１４の向きが下方向に反転して上方向に膨らみ、一方、図１Ｃでは、下方向に延びるリブ１４の向きが上方向に反転して下方向に膨らんでいる。一般的には、リブ１４の延びる向きが周方向に近付く程、容器１の強度は高まる。したがって、リブ１４の延びる向きを変化させることでリブ１４の傾斜角度が小さくなって、容器１の強度が高められる。
【００１５】
次に、容器１の作用を説明する。容器１のフィルム装着領域１２ａにシュリンクラベル１０を装着させると、シュリンクラベル１０はリブ１４の形状に沿って周方向に熱収縮し、容器１に密着する。容器１に装着されたシュリンクラベル１０は、形状変化によるリブ１４への入り込みが小さい。これは、リブ１４が容器１の周方向に対して傾斜した方向に延びているので、シュリンクラベル１０が熱収縮する方向とずれて形状変化が生じにくいことによる。また、リブ１４の一部は、傾斜方向が変化して曲がっているので、容器１に十分な強度を付与することができる。
【００１６】
図２は、容器１に装着されたシュリンクラベル１０のリブ１４への入り込みの深さを測定した結果を示す表である。図２の表には、容器１の他、容器１とリブの形状が異なる容器２〜４の測定結果も示されている。図３は容器２の正面図、図４は容器３の正面図、図５は容器４の正面図をそれぞれ示している。図３の容器２のリブ１４ａは、容器１のリブ１４と同様の模様であるが傾斜角度が異なり、容器２のリブ１４ａの傾斜角度は容器１のリブ１４の傾斜角度よりも小さい。図４の容器３のリブ１４ｂは、上方向に延びるリブ１４ｂの向きが下方向に反転して上方向に膨らんだ形状を有する３本の平行なリブ群を一組として、三組のリブ群を周方向に等間隔に配置し、両端を互いに交わらせるようにした模様である。図５の容器４は、容器４の周方向に沿って複数の平行なリブ１４ｃを有している。
【００１７】
図６は、容器１のリブ１４へのシュリンクラベル１０の入り込みを説明する図である。容器１の胴部１２のリブ１４に対し、シュリンクラベル１０が熱収縮して入り込んだ深さＤを測定している。図２の測定結果をみると、周方向に対して４５°の傾斜角度を有する容器１が最も入り込みが小さい。一方、容器４には、周方向に沿ったリブ１４ｃが設けられ、シュリンクラベル１０の入り込みが大きい結果となった。また、容器２及び３も容器１と同様に、周方向に対して傾斜した方向に延び、その傾斜した方向を変化させているリブ１４ａ、１４ｂを有しており、シュリンクラベル１０の入り込みは容器４に比べると十分に小さい。
【００１８】
図７及び図８は、容器１〜４に装着したシュリンクラベル１０の視認性に関し官能評価をした結果を示す表である。シュリンクラベル１０の視認性の官能評価には、２０代から５０代の男女計１０名の評価者に５段階評価で評価してもらった。図７は、シュリンクラベル１０の歪み度合いに関し、歪みが最も小さい状態を５点とし、歪みが大きくなるにつれ点数を減らし、歪みが最も大きい状態を１点として評価者が評価した結果である。その結果、容器１が最も歪みが小さい容器として評価された。一方、容器４は最も歪みが大きい容器として評価された。容器２及び３についても、容器１と比べてもほぼ遜色なく十分に歪みが小さい容器として評価されている。
【００１９】
また、図８は、シュリンクラベル１０に印字された文字の読みやすさに関し、最も読みやすい状態を５点とし、読みにくくなるにつれ点数を減らし、最も読みにくい状態を１点として評価者が評価した結果である。その結果、容器１が最も読みやすい容器として評価された。一方、容器４は最も読みにくい容器として評価された。容器２及び３は、容器１に比べると多少評価が劣るものの、容器４と比べると十分に読みやすい容器と評価できる。
【００２０】
官能評価の結果は、シュリンクラベル１０の入り込みの測定結果に沿った結果となった。つまり、シュリンクラベル１０の入り込みが小さい程、視認性が向上する。
【００２１】
本発明は、上述した形態に限定されることなく、種々の形態にて実施することができる。例えば、本形態では、容器１としてペットボトルで説明したがこれに限られない。シュリンクラベル１０を胴部に装着する各種の容器、例えば、壜、缶、プラスチック容器等に本発明を適用してよい。また、上述した形態では、リブ１４の形状として、容器１〜３に示した形状のように、上方向又は下方向に膨らんだ形状で説明したがこれに限られない。例えば、胴部１２を周方向に一周する波型の形状であってもよい。波の頂点は丸みを帯びていてもよいし、尖っていてもよい。図２、図７及び図８の結果からわかるように、本発明の範囲は、容器１のみならず、容器２及び３も含まれる。また、リブ１４は、容器１の胴部１２の外周面に対して凹んでいるとして説明したが、これに限られない。例えば、外周面に対してリブ１４が突出していてもよい。シュリンクラベル１０の収縮する向きが周方向であることから、上述した形態と同様に、シュリンクラベル１０が熱収縮する方向とずれて形状変化が生じにくい。
【符号の説明】
【００２２】
１〜４  容器
１０  シュリンクラベル
１２  胴部
１４  リブ
【図１Ａ】
2015105118.tif 000003
【図１Ｄ】
2015105118.tif 000004
【図２】
2015105118.tif 000005
【図３】
2015105118.tif 000006
【図４】
2015105118.tif 000007
【図５】
2015105118.tif 000008
【図６】
2015105118.tif 000009
【図７】
2015105118.tif 000010
【図８】
2015105118.tif 000011
【図１Ｂ】
2015105118.tif 000012
【図１Ｃ】
2015105118.tif 000013